(57)【要約】      （修正有）【課題】表カバーと裏カバーとの間に収納空間を形成し、複数枚の書類、伝票等のシート類の出し入れが容易であり、シート類の枚数が多い場合でも無理なく収容可能であり、また軽量で可搬性に優れ、鉛筆、万年筆、ボールペン、プリンター等で記録することや多色印刷も可能な使い勝手に優れるシート類用紙製ファイルを提供する。【解決手段】矩形の表カバー２と内面が表カバーの内面に照合する矩形の裏カバー３の下側縁部を下縁貼着部４で貼着し、表カバーと裏カバーの横幅方向一側縁部間に所定の厚さを有する帯状の収納スペース形成体５を挟着することにより、縁側を略Ｌ字状に閉塞した紙製ファイル１である。収納スペース形成体により裏カバーと表カバーとの間に収納空間が形成される。【選択図】図１
0003229058.tif 000002
【実用新案登録請求の範囲】
【請求項１】
矩形の表カバーと、内面が該表カバーの内面に照合する矩形の裏カバーと、該裏カバーの下側縁部を前記表カバーの下側縁部に貼着する下縁貼着部と、前記表カバーと裏カバーの横幅方向一側縁部間に挟着する帯状の収納スペース形成体とにより縁側を略Ｌ字状に閉塞した紙製ファイルであって、前記表カバーと裏カバーとの間に前記収納スペース形成体を挟装することにより前記裏カバーと表カバーとの間に収納空間を形成してあることを特徴とするシート類用紙製ファイル。
【請求項２】
前記収納スペース形成体には、厚さが異なるものを用いることにより、前記収納空間の容量を大小に設定可能であることを特徴とする請求項１記載のシート類用紙製ファイル。
【請求項３】
前記裏カバーは、横幅又は縦幅を前記表カバーより大きく形成し、該表カバーに対して張出す張出部はインデックス部としてある請求項１記載のシート類用紙製ファイル。
【請求項４】
前記表カバー又は裏カバーは、前記裏カバー又は表カバーと異なる厚さの紙で成形してあることを特徴とする請求項１記載のシート類用紙製ファイル。
【考案の詳細な説明】
【技術分野】
【０００１】
本考案は、複数枚の書類や伝票等のシート類の出し入れが容易であるし、シート類の枚数が多い場合でも無理なく収容可能であり、鉛筆等による書き込み、プリンターによる印字が可能で、樹脂廃棄物の削減に資することができるシート類用紙製ファイルに関する。
【背景技術】
【０００２】
複数枚の書類等のシート類を纏めて保管するために広く用いられている合成樹脂製のファイルは、柔軟な合成樹脂製の１枚の基材の一側縁を谷折りして形成した表シートと裏シートを重ね合せ、その下側縁部を加熱融着して結合することで内部に収納部を形成した構成からなり、その多くはＡ４サイズのシート類を収容する大きさからなっている。
【０００３】
そして、従来の樹脂製ファイルの多くは、収納したシート類が表側から目視により確認できるように透明又は半透明の合成樹脂材で成形し、また成形の容易性も考慮されて製作されている。しかし、従来の樹脂製ファイルには以下の欠点がある。
【０００４】
第一に、樹脂製ファイルは、二つ折りして下側縁を加熱溶着する構成であるために、収納枚数が多いと下側縁の溶着部が剥がれ始め、この剥がれは使用に伴って次第に拡大し、終にはファイルとして使用不能になるという欠点がある。
第二に、ファイルは合成樹脂材で成形しているため、鉛筆、ボールペン、万年筆で必要な情報を書き込むことができないことからサインペンを使用しているが、修正や消去ができないという欠点がある。このため、紙のシールを張って書き込むという面倒なことで対処している。また、シュレッダーによる細断ができないという問題もある。
第三に、廃棄する場合もプラスチックごみとして処分するが、プラスチックごみを削減するという地球環境の保全に反するという問題がある。
【０００５】
そこで、本件出願人は、先に複数枚の書類、伝票等のシート類の出し入れが容易で、シート類の枚数が多い場合でも無理なく収容可能であり、軽量なので可搬性に優れており、鉛筆、万年筆、ボールペン、プリンター等で記録することや多色印刷も可能であるので使い勝手に優れており、シュレッダーによる細断も可能であるし、再製資源に活用できるしプラスチック廃棄物の削減にも資するので地球環境に優しいシート類用紙製ファイルを提案した（特許文献１）。
【先行技術文献】
【特許文献】
【０００６】
【特許文献１】特願２０２０−４３４６１
【考案の概要】
【考案が解決しようとする課題】
【０００７】
特許文献１の発明は、従来技術の幾多の問題点を解決する優れた効果を奏するものであるが、更に一定の収納空間を形成することにより収納容量を確保することができ、製作費を低廉化できる紙製ファイルも望まれている。
【０００８】
本考案は上述した従来技術の未解決の問題点に鑑みなされたもので、表カバーと裏カバーとの間に収納スペース形成体を挟装する三層に構成することにより収納空間を形成したので、複数枚の書類、伝票等のシート類の出し入れが容易であるし、シート類の枚数が多い場合でも無理なく収容可能であり、また軽量なので可搬性に優れており、鉛筆、万年筆、ボールペン、プリンター等で記録することや多色印刷も可能であるので使い勝手に優れている。また、シュレッダーによる細断も可能であり、再製資源に活用できるしプラスチック廃棄物の削減にも資するので地球環境に優しいシート類用紙製ファイルを提供することを目的とする。
【課題を解決するための手段】
【０００９】
（１）上述した課題を解決するために構成した本考案の手段は、矩形の表カバーと、内面が該表カバーの内面に照合する矩形の裏カバーと、該裏カバーの下側縁部を前記表カバーの下側縁部に貼着する下縁貼着部と、前記表カバーと裏カバーの横幅方向一側縁部間に挟着する帯状の収納スペース形成体とにより縁側を略Ｌ字状に閉塞した紙製ファイルであって、前記表カバーと裏カバーとの間に前記収納スペース形成体を挟装することにより前記裏カバーと表カバーとの間に収納空間を形成したことにある。
（２）そして、前記収納スペース形成体には、厚さが異なるものを用いることにより、前記収納空間の容量を大小に設定可能である。
（３）また、前記裏カバーは、横幅又は縦幅を前記表カバーより大きく形成し、該表カバーに対して張出す張出部はインデックス部とするとよい。
（４）前記表カバー又は裏カバーは、前記裏カバー又は表カバーと異なる厚さの紙で成形してもよい。
【考案の効果】
【００１０】
本考案は上述の如く構成したから下記の諸効果を奏する。
（１）表カバーと裏カバーは谷折りにより形成しないで、表裏のカバー間に収納スペース形成体を挟着して三層に構成したから、複数枚の書類、伝票等のシート類の出し入れが容易であるし、シート類の枚数が多い場合でも下縁貼着部に無理な力が加わることがないので、折り目が裂けることも無なく耐久性に優れている。
（２）シート類用紙製ファイルは紙で製作してあるから、軽量で可搬性に優れており、鉛筆、万年筆、ボールペンによる書き込みが出来るし、プリンターで提案書のタイトル等を印字することや多色印刷も可能であるので使い勝手に優れているし、シュレッダーによる細断処分も可能である。
（３）収納スペース形成体には、厚さが異なるものを用いることにより、収納空間の容量が大小異なる紙製ファイルに製作できる。
（４）紙製の表カバーと裏カバーを貼り合せてファイルを構成するから、厚さの異なる紙を組合せて製作することができる。
（５）再製紙で作成できるので資源を活用できるし、細断して再製資源にできる。しかも、プラスチック廃棄物の削減にも資するので地球環境にも有用である。
【図面の簡単な説明】
【００１１】
【図１】本考案の実施の形態に係るシート類用紙製ファイルの正面図である。
【図２】シート類用紙製ファイルの背面図である。
【図３】シート類用紙製ファイルの部分分解斜視図である。
【図４】シート類を収容したシート類用紙製ファイルの部分拡大断面図である。
【考案を実施するための形態】
【００１２】
以下、本考案に係る実施の形態を図面に基づき詳述する。図１及び図２において、１は伝票、資料等のシート類Ｓを収容するためのシート類用紙製ファイル（以下、紙製ファイル１と称する）、２は該紙製ファイル１を構成する紙製の表カバーを示す。該表カバー２は靱性のある約１５０ｋｇの紙で矩形に形成してあり、外面２Ａは鉛筆、ボールペン、万年筆、プリンター等で文字等を記載することが可能で、内面２Ｂは後述する裏カバー３との衝合面になっている。そして、表カバー２は既存のクリアファイルと略同等の大きさに形成してある。
【００１３】
３は前記表カバー２と結合して紙製ファイル１を構成する裏カバーを示す。該裏カバー３は靱性のある紙で平坦な外面３Ａと内面３Ｂからなる矩形に形成してあるが、横幅を表カバー２より若干幅広に形成することにより、図１の正面図において右側縁が縦長帯状の張出部３Ｃにしてある。
そして、該裏カバー３は、その内面３Ｂと表カバー２の内面２Ｂを衝合し、縦幅方向下縁部２Ｃ、３Ｄを接着して下縁貼着部４としてある。
【００１４】
５は表カバー２と裏カバー３の横幅方向一側縁２Ｄ、３Ｅ間に挟着した収納スペース形成体を示す。なお、本実施の形態の構成を理解し易くするために、図３は表カバー２、裏カバー３等の各構成要素を拡大して描いてある。該収納スペース形成体５は表カバー２と同じ縦方向長さの帯状に形成し、表カバー２及び裏カバー３と同等か幾分厚い紙で形成し、或いは厚さに形成することにより、表カバー２と裏カバー３との間にシート類Ｓを収納するための収納空間６を形成してある。
【００１５】
本実施の形態に係る紙製ファイル１は上述の構成からなるもので、表カバー２と裏カバー３の間に収納空間６を形成してあるから、シート類Ｓの収納と取り出しが容易である。また、従来のファイルは横幅方向一側縁を谷折りして形成しているから収納時に折り目に無理な力が働いているが、本実施の形態では収納スペース形成体５を挟着して形成し、折り目の無いファイルにしたから、無理な力が働くこともないので耐久性に優れている。
【００１６】
なお、収納スペース形成体５は、厚さＴが大小異なるものを用いて収納量を大小異なるように選択可能であるから、収納するシート類Ｓの多寡に応じてファイルを選択して使用することもできる。
【００１７】
そして、裏カバー３は表カバー２より横幅を広く形成して張出部３Ｃにしてあり、該張出部３Ｃはインデックス部として使用することができる。
【００１８】
このようにして用いる紙製ファイル１は表カバー２も裏カバー３も紙で製作してあるから、軽量であり可搬性に優れている。また、鉛筆、万年筆、ボールペン、クレヨン等で自在に書き込むことができるし、プリンター等の事務機で印字することも可能である。
更に、シュレッダーによる細断も可能であり、再製資源に使用できるしプラスチック廃棄物の削減にも資するので地球環境に優しいシート類用紙製ファイルである。
【符号の説明】
【００１９】
１      シート類用紙製ファイル
２      表カバー
２Ｂ    内面
３      裏カバー
３Ｂ    内面
３Ｃ    張出部
４      下縁貼着部
５      収納スペース形成体
６      収納空間
【図１】
0003229058.tif 000003
【図２】
0003229058.tif 000004
【図３】
0003229058.tif 000005
【図４】
0003229058.tif 000006